(57)【特許請求の範囲】
【請求項１】
放送局を指定する旨の選局指定を受け付けると、該選局指定にて指定された放送局を選択する選局動作を実行し、その後、該放送局の放送を継続的に受信する継続受信動作を実行する放送受信機であって、
前記選局指定にて指定された放送局が出力する、同期信号を含む放送用信号を受信する受信手段と、
前記受信部が受信した放送用信号内の同期信号を所定時間ごとに所定回数連続して検出した場合に、同期状態であると判定する同期処理手段と、
前記選局動作時には、前記同期処理手段が使用する前記所定回数を、前記継続受信動作時に前記同期処理手段が使用する前記所定回数より少なくする同期処理制御手段と、を含む放送受信機。
【請求項２】
請求項１に記載の放送受信機において、
前記放送用信号の受信状態を判定する受信状態判定手段をさらに含み、
前記同期処理制御手段は、前記選局動作中、前記受信状態判定手段の判定結果に基づいて、前記所定回数を変更する、放送受信機。
【請求項３】
請求項２に記載の放送受信機において、
前記同期処理制御手段は、前記継続受信動作中、前記受信状態判定手段の判定結果に基づいて、前記所定回数を変更する、放送受信機。
【請求項４】
請求項２または３に記載の放送受信機において、
前記同期処理制御手段は、前記選局動作開始時の所定回数を、前記同期処理手段が使用する所定回数の中で最も少なくする、放送受信機。
【請求項５】
放送局を指定する旨の選局指定を受け付けると、該選局指定にて指定された放送局を選択する選局動作を実行し、その後、該放送局の放送を継続的に受信する継続受信動作を実行する放送受信機が行う同期保護制御方法であって、
前記選局指定にて指定された放送局が出力する、同期信号を含む放送用信号を受信する受信ステップと、
前記放送用信号内の同期信号を所定時間ごとに所定回数連続して検出した場合に、同期状態であると判定する同期処理ステップと、
前記選局動作時には、前記同期状態の判定に使用される前記所定回数を、前記継続受信動作時に前記同期状態の判定に使用される前記所定回数より少なくする同期処理制御ステップと、を含む同期保護制御方法。
【請求項６】
請求項５に記載の同期保護制御方法において、
前記放送用信号の受信状態を判定する受信状態判定ステップをさらに含み、
前記同期処理制御ステップでは、前記選局動作中、前記受信状態の判定結果に基づいて、前記所定回数を変更する、同期保護制御方法。
【請求項７】
請求項６に記載の同期保護制御方法において、
前記同期処理制御ステップでは、前記継続受信動作中、前記受信状態の判定結果に基づいて、前記所定回数を変更する、同期保護制御方法。
【請求項８】
請求項６または７に記載の同期保護制御方法において、
前記同期処理制御ステップでは、前記選局動作開始時の所定回数を、前記同期処理にて使用される所定回数の中で最も少なくする、同期保護制御方法。
【発明の詳細な説明】
【技術分野】
【０００１】
本発明は、放送受信機および同期保護制御方法に関し、特には、選局動作時間の短縮を可能とする放送受信機および同期保護制御方法に関する。
【背景技術】
【０００２】
デジタル放送受信機は、受信したデジタル放送信号に含まれる同期信号または同期パターン（以下、両者を「同期信号」と称す）を用いて同期処理を行う。
【０００３】
同期処理では、受信した信号中の同期信号が、所定のタイミングで、かつ、所定のパターンとして検出される状態を、同期が取れている状態（以後「同期状態」と称す)と呼び、同期信号が、所定のタイミングで検出できない状態、および、所定のパターンとして検出できない状態を、同期が外れている状態（以後「非同期状態」と称す)という。
【０００４】
さらに、同期処理においては同期保護処理が行われる。
【０００５】
同期保護処理は、あるタイミングでは同期状態と判定され次のタイミングでは非同期状態と判定されることが繰り返されるなどの、短時間の同期状態の連続した変化や、ごく短時間の放送信号の乱れによって同期信号だけが正常に受信できないことでの同期外れによる受信品質の劣化を防ぐために行われる。
【０００６】
同期保護処理では、同期信号が所定の回数（以下「同期判定回数」と称す）連続して正しく検出される状態が、同期状態と判断され、同期信号が所定の回数（以下「非同期判定回数」と称す）連続して正しく検出できない状態が、非同期状態と判断される。なお、同期判定回数と非同期判定回数は、同じ回数でもよい。
【０００７】
受信状態に応じて同期保護処理を制御する装置として、特許文献１（特開平５−６３６９２号公報）に示されるような受信装置が知られている。
【０００８】
特許文献１に記載の受信装置では、受信状態が良い場合は、同期判定回数と非同期判定回数が所定値より大きい値に設定される。一方、受信状態が悪い場合には、同期判定回数が、その所定値より小さい値に設定される。
【特許文献１】特開平５−６３６９２号公報
【発明の開示】
【発明が解決しようとする課題】
【０００９】
第１の問題点は、従来のデジタル放送受信機は、受信状態が良好な環境に配置されている場合でも、放送を視聴するために使用者が選局操作を行ってから実際に放送が提示されるまでに長い時間を要することである。
【００１０】
その理由は、以下の通りである。
【００１１】
従来のデジタル放送受信機は、受信状態が良好な環境に配置されていても、選局時に、選局後の継続受信時にも使用される同期判定回数だけ同期信号を正しく検出する必要がある。そのため、選局時に、継続受信時の同期判定回数だけ同期信号を受信するための時間が必要となるからである。
【００１２】
本発明の目的は、選局動作を高速化する放送受信機および同期保護制御方法を提供することである。
【課題を解決するための手段】
【００１３】
上記目的を達成するために、本発明の放送受信機は、放送局を指定する旨の選局指定を受け付けると、該選局指定にて指定された放送局を選択する選局動作を実行し、その後、該放送局の放送を継続的に受信する継続受信動作を実行する放送受信機であって、前記選局指定にて指定された放送局が出力する、同期信号を含む放送用信号を受信する受信手段と、前記受信部が受信した放送用信号内の同期信号を所定時間ごとに所定回数連続して検出した場合に、同期状態であると判定する同期処理手段と、前記選局動作時には、前記同期処理手段が使用する前記所定回数を、前記継続受信動作時に前記同期処理手段が使用する前記所定回数より少なくする同期処理制御手段とを含む。
【００１４】
また、本発明の同期保護制御方法は、放送局を指定する旨の選局指定を受け付けると、該選局指定にて指定された放送局を選択する選局動作を実行し、その後、該放送局の放送を継続的に受信する継続受信動作を実行する放送受信機が行う同期保護制御方法であって、前記選局指定にて指定された放送局が出力する、同期信号を含む放送用信号を受信する受信ステップと、前記放送用信号内の同期信号を所定時間ごとに所定回数連続して検出した場合に、同期状態であると判定する同期処理ステップと、前記選局動作時には、前記同期状態の判定で使用される前記所定回数を、前記継続受信動作時に前記同期状態の判定で使用される前記所定回数より少なくする同期処理制御ステップとを含む。
【００１５】
上記発明によれば、選局動作時には、同期状態の判定に使用される所定回数が、継続受信動作時に同期状態の判定に使用される所定回数より少なくなる。このため、選局時の同期状態の判定時間が、継続受信時の同期状態の判定時間より短くなる。よって、選局動作を高速化することが可能になる。
【００１６】
前記放送受信機は、前記放送用信号の受信状態を判定する受信状態判定手段をさらに含み、前記同期処理制御手段は、前記選局動作中、前記受信状態判定手段の判定結果に基づいて、前記所定回数を変更することが望ましい。
【００１７】
上記発明によれば、選局動作中、受信状態に応じて、同期状態の判定に使用される所定回数が変更されるため、安定した受信を実現することが可能になる。
【００１８】
前記同期処理制御手段は、前記継続受信動作中、前記受信状態判定手段の判定結果に基づいて、前記所定回数を変更することが望ましい。
【００１９】
上記発明によれば、受信動作全般にわたって、安定した受信を実現することが可能になる。
【００２０】
前記同期処理制御手段は、前記選局動作開始時の所定回数を、前記同期処理手段が使用する所定回数の中で最も少なくすることが望ましい。
【００２１】
上記発明によれば、選局動作を高速化できる。
【発明の効果】
【００２２】
本発明によれば、選局動作の高速化を図ることが可能になる。
【発明を実施するための最良の形態】
【００２３】
次に、本発明の実施の形態について図面を参照して詳細に説明する。
【００２４】
図１は、本発明の一実施例の放送受信機、具体的にはデジタル放送受信機を示したブロック図である。
【００２５】
図１において、本デジタル放送受信機１は、選局制御手段１１と、周波数選択手段１２と、同期処理手段１３と、復調手段１４と、受信状態判定手段１５と、同期保護パターン判定手段１６と、再生手段１７とを含む。
【００２６】
デジタル放送受信機１は、放送局を指定する旨の選局指定を受け付けると、その選局指定にて指定された放送局を選局する選局動作を実行し、その後、その放送局の放送を継続的に受信する継続受信動作を実行する。
【００２７】
選局制御手段１１は、選局動作全体および継続受信動作を制御する。選局制御手段１１は、使用者から選局指定を受け付けると、使用者が指定した放送局の周波数帯を示す周波数情報を、周波数選択手段１２に設定する。
【００２８】
周波数選択手段１２は、受信手段の一例であり、アンテナ１００が受信した放送波から、選局制御手段１１にて指定された放送（周波数帯）のＲＦ信号（放送用信号）を取り出す。  なお、放送局は、同期信号が周期的に現れるＲＦ信号を送信する。
【００２９】
同期処理手段１３は、周波数選択手段１２で取り出されたＲＦ信号に含まれる同期信号を検出し、その同期信号と、同期保護パターン判定手段１６より指定された同期保護パターンとに基づいて、ＲＦ信号の同期処理を行う。
【００３０】
同期保護パターンは、同期状態と判定するのに必要な同期信号の連続検出回数、すなわち、同期判定回数（所定回数）である。
【００３１】
同期処理は、同期判定処理（同期保護処理）を含む。同期判定処理では、同期処理手段１３は、周波数選択手段１２が受信したＲＦ信号内の同期信号を、所定時間ごとに同期判定回数連続して検出した場合に、同期状態であると判定する。
【００３２】
なお、同期信号として、同期パターンが使用されてもよい。
【００３３】
復調手段１４は、同期処理手段１３にて同期処理されたＲＦ信号から放送データを復調する。
【００３４】
受信状態判定手段１５は、周波数選択手段１２にて受信されたＲＦ信号の受信状態を判定する。具体的には、受信状態判定手段１５は、周波数選択手段１２と同期処理手段１３と復調手段１４から提供された情報に基づいて、ＲＦ信号の受信状態を判定する。
【００３５】
同期保護パターン判定手段１６は、同期処理制御手段の一例であり、選局動作時には、同期処理手段１３に選局用同期保護パターンを設定して選局用同期処理を行わせ、また、継続受信動作時には、同期処理手段１３に継続受信用同期保護パターンを設定して継続受信用同期処理を行わせる。
【００３６】
具体的には、同期保護パターン判定手段１６は、選局用同期保護パターンとして、選局動作用初期同期保護パターンと、受信状態不良時選局用同期保護パターンとを格納し、また、継続受信用同期保護パターンとして、受信状態良好時通常受信用同期保護パターンと、受信状態不良時通常受信用同期保護パターンとを格納する。
【００３７】
なお、各同期保護パターンを用いた同期保護処理で必要となる時間、具体的には、各同期保護パターンとして用いられる同期判定回数は、以下の関係を有する。
【００３８】
選局動作用初期同期保護パターン＜受信状態不良時選局用同期保護パターン＜受信状態良好時通常受信用同期保護パターン＜受信状態不良時通常受信用同期保護パターン。
【００３９】
同期保護パターン判定手段１６は、選局動作用初期同期保護パターンと、受信状態不良時選局用同期保護パターンと、受信状態良好時通常受信用同期保護パターンと、受信状態不良時通常受信用同期保護パターンの中から、同期処理手段１３が使用する同期保護パターンを選択する。
【００４０】
再生手段１７は、復調手段１４で復調された放送データを再生して使用者へ提示する。
【００４１】
次に、動作の概要を説明する。
【００４２】
選局制御手段１１により選局動作が開始されると、同期保護パターン判定手段１６は、同期処理手段１３が同期判定に使用する同期保護パターンを選択する。
【００４３】
このとき、同期保護パターン判定手段１６は、同期状態の判定に必要な同期信号が検出される連続回数が最小の同期保護パターンを選択する。この同期保護パターンとしては、同期信号の方式により異なるが、１回の検出で同期状態と判断する旨の同期保護パターンが用いられてもよい。
【００４４】
次に、受信状態判定手段１５が、周波数選択手段１２、同期処理手段１３および復調手段１４の動作状態に基づいて受信状態を判定する。
【００４５】
同期保護パターン判定手段１６は、受信状態判定手段１５の判定結果が不良な場合には同期保護パターンを変更する。
【００４６】
変更後の同期保護パターンにおける同期信号の連続検出回数は、最初に設定された同期保護パターンにおける回数より多く、選局動作完了後に設定される同期保護パターンにおける回数より少ない値である。
【００４７】
このため、選局開始時に受信状態が良好であれば、同期状態の判定に必要な同期信号の連続した検出回数が最小となる同期保護パターンが使用されるため、同期状態と判定されるまでの時間が最短となる。これにより選局動作の時間が短縮される。
【００４８】
次に、具体的に動作を説明する。
【００４９】
図２は、同期保護パターン判定手段１６の動作を説明するためのフローチャートである。以下、図１および図２を参照して、デジタル放送受信機１の動作を説明する。
【００５０】
選局制御手段１１は、使用者による選局操作（選局指定）を受け付けると、選局動作を開始して、その選局操作で使用者が指定した放送局の周波数情報を周波数選択手段１２に設定し、さらに、同期処理手段１３、復調手段１４、受信状態判定手段１５および同期保護パターン判定手段１６に、選局動作を開始する旨の選局動作開始通知を提供する。
【００５１】
同期保護パターン判定手段１６は、選局動作開始通知を受け付けると、複数種類の同期保護パターンの中から、同期保護処理で必要となる時間が最小である、選局動作用初期同期保護パターンを選択する（ステップ２０１）。
【００５２】
なお、選局動作用初期同期保護パターンには、同期判定回数が、同期保護パターンの中で最小（例えば１回）に設定されている。
【００５３】
周波数選択手段１２は、周波数情報が設定されると、アンテナ１００が受信した放送波から、その周波数情報が示す周波数帯のＲＦ信号を抽出する。
【００５４】
さらに、周波数選択手段１２は、受信状態判定手段１５に、受信信号の強さに関する情報（受信状態情報）を伝える。受信信号の強さに関する情報としては、周波数選択手段１２内のＡＧＣの値またはアッテネータの状態などが使用される。
【００５５】
受信状態判定手段１５は、受信信号の強さの情報を受け付けると、その受け付けられた情報に基づいて受信状態を判定する。
【００５６】
具体的には、受信状態判定手段１５は、受信信号の強さが第１所定値を上回っていた場合、受信信号の強度は良好（受信状態は良好）であると判定して、その判定結果を同期保護パターン判定手段１６に通知する。一方、受信状態判定手段１５は、受信信号の強さが第１所定値以下であった場合、受信信号の強度は良好でない（受信状態は良好でない）と判定して、その判定結果を同期保護パターン判定手段１６に通知する。
【００５７】
同期保護パターン判定手段１６は、受信信号強度の判定結果を受け取ると（ステップ２０２)、その判定結果に基づいて同期保護パターンを選択する（ステップ２０３）。
【００５８】
受信信号の強度が良好と判定されていた場合には、同期保護パターン判定手段１６は、最初に設定された選局動作用初期同期保護パターンを維持する。
【００５９】
一方、受信信号の強度が良好ではないと判定されていた場合には、同期保護パターン判定手段１６は、受信状態不良時選局用同期保護パターンを選択し、その選択された同期保護パターンを同期処理手段１３に設定する（ステップ２０４）。
【００６０】
同期処理手段１３は、周波数選択手段１２により取り出されたＲＦ信号から同期信号を検出して同期処理を行う。さらに言えば、同期処理手段１３は、同期保護パターン判定手段１６により指定された同期保護パターンを使用して、ＲＦ信号の同期保護処理を実行する。
【００６１】
同期処理手段１３は、さらに、受信状態判定手段１５に受信状態を示す受信状態情報を通知する。この受信状態情報としては、同期信号の検出状態などから推定されるＣ／Ｎの値（キャリア・ノイズ比）が使用される。
【００６２】
受信状態判定手段１５は、同期処理手段１３から受信状態情報（具体的にはＣ／Ｎの値）を受け付けると、そのＣ／Ｎの値に基づいて受信状態を判定する。
【００６３】
具体的には、受信状態判定手段１５は、Ｃ／Ｎの値が第２所定値を上回っていた場合、受信信号の品質は良好（受信状態は良好）であると判定して、その判定結果を同期保護パターン判定手段１６に通知する。一方、受信状態判定手段１５は、Ｃ／Ｎの値が第２所定値以下であった場合、受信信号の品質は良好でない（受信状態は良好でない）と判定して、その判定結果を同期保護パターン判定手段１６に通知する。
【００６４】
同期保護パターン判定手段１６は、受信信号品質の判定結果を受け取ると（ステップ２０５)、その判定結果に基づいて同期保護パターンを選択する（ステップ２０６）。
【００６５】
受信信号品質が良好と判定されていた場合には、同期保護パターン判定手段１６は、同期処理手段１３に設定されている同期保護パターンを維持する。
【００６６】
一方、受信信号品質が良好ではないと判定されていた場合には、同期保護パターン判定手段１６は、受信状態不良時選局用同期保護パターンを選択し、その選択された同期保護パターンを同期処理手段１３に設定する（ステップ２０７）。
【００６７】
復調手段１４は、同期処理手段１３により同期処理されたＲＦ信号を復調して放送データを生成し、その放送データを再生手段１７に出力する。
【００６８】
また、復調手段１４は、放送データを出力可能な状態となった時点で、選局制御手段１１に対して復調データ出力開始の通知を行い、また、復調処理に含まれるエラー訂正処理などから推定されたビットエラーレート（ＢＥＲ）を、受信状態情報として、受信状態判定手段１５に通知する。
【００６９】
受信状態判定手段１５は、復調手段１４から受信状態情報（具体的にはＢＥＲ）を受け付けると、そのＢＥＲの値に基づいて受信状態の判定を行う。
【００７０】
具体的には、受信状態判定手段１５は、ＢＥＲの値が第３所定値を下回っていた場合、復調状態は良好（受信状態は良好）であると判定して、その判定結果を同期保護パターン判定手段１６に通知する。一方、受信状態判定手段１５は、ＢＥＲの値が第３所定値以上であった場合、復調状態は良好でない（受信状態は良好でない）と判定して、その判定結果を同期保護パターン判定手段１６に通知する。
【００７１】
同期保護パターン判定手段１６は、復調状態の判定結果を受け取ると（ステップ２０８)、その判定結果に基づいて同期保護パターンを選択する（ステップ２０９)。
【００７２】
復調状態が良好と判定されていた場合には、同期保護パターン判定手段１６は、同期処理手段１３に設定されている同期保護パターンを維持する。
【００７３】
一方、受信信号品質が良好ではないと判定されていた場合には、同期保護パターン判定手段１６は、受信状態不良時選局用同期保護パターンを選択し、その選択された同期保護パターンを同期処理手段１３に設定する（ステップ２１０)。
【００７４】
再生手段１７は、復調手段１４から放送データを受け付けると、その放送データを再生し、再生開始の通知を選局制御手段１１に提供する。
【００７５】
選局制御手段１１は、再生手段１７から再生開始の通知を受け付けると、選局動作を終了し、続いて、継続受信動作を開始し、同期保護パターン判定手段１６、同期処理手段１３、復調手段１４、受信状態判定手段１５に対して選局動作完了通知を提供する。
【００７６】
同期保護パターン判定手段１６は、選局制御手段１１から選局動作完了通知を受け付けると（ステップ２１１）、通常受信状態で用いる継続受信用同期保護パターンを選択する（ステップ２１２）。
【００７７】
具体的には、同期保護パターン判定手段１６は、同期処理手段１３に選局動作用初期同期保護パターンが設定されている場合には、その設定を、受信状態良好時通常受信用同期保護パターンに変更する（ステップ２１４）。
【００７８】
一方、同期保護パターン判定手段１６は、同期処理手段１３に受信状態不良時選局用同期保護パターンが設定されている場合には、その設定を、受信状態不良時通常受信用同期保護パターンに変更する（ステップ２１３）。
【００７９】
なお、上述したように、同期状態判定に必要な同期信号の連続検出回数の設定は、「選局動作用初期同期保護パターン＜受信状態不良時選局用同期保護パターン＜受信状態良好時通常受信用同期保護パターン＜受信状態不良時通常受信用同期保護パターン」となっている。
【００８０】
このため、受信状態が良好な場合の選局動作では、選局動作が終了するまでの間、同期保護において同期状態と判定されるのに必要な同期信号の連続検出回数（同期判定回数）として、選局開始時に設定された最小回数の設定が維持される。
【００８１】
そのため、同期状態と判定されるのに必要な数の同期信号を受信するのに必要な時間が最短となる。
【００８２】
さらに、ステップ２０３、２０６および２０９において、受信状態が良好でないと判定された場合でも、受信状態不良時選局用同期保護パターンで設定される同期信号の連続検出回数は、継続受信用同期保護パターンで設定される同期信号の連続検出回数よりも少ない。
【００８３】
それにより、通常受信状態時に使用する同期保護パターンを使用するより、選局時間を短縮できる。
【００８４】
さらに、選局動作完了後、同期保護パターン判定手段１６は、同期処理手段１３に設定されていた選局用同期保護パターンを、継続受信用同期保護パターンに切り替える。このため、より安定した受信と選局動作時間の短縮を実現できる。
【００８５】
本実施例によれば、以下の効果を奏する。
【００８６】
第１の効果は、放送波の受信状態が良好な場合に、使用者が選局動作を行ってから放送の再生が開始するまでに要する時間が短くなることである。
【００８７】
その理由は、以下の通りである。
【００８８】
選局開始時に受信状態が良好と判断された場合には、同期保護パターン判定手段１６は、同期保護処理に必要な時間が最小になる同期保護パターンを同期処理手段１３に設定する。このため、同期処理手段１３により同期状態と判定されるまでの時間が短くなり、その結果、復調手段１４がデータを出力までの時間が短縮される。よって、再生手段１７が再生動作に必要なデータを早く取得できる。
【００８９】
第２の効果は、選局動作の時間短縮処理に伴う通常受信の安定性の劣化が発生しないことである。
【００９０】
その理由は、同期保護パターンが、選局時用と継続受信用とに分けられているためである。
【００９１】
本実施例によれば、以下の作用効果を奏する。
【００９２】
同期保護パターン判定手段１６は、選局動作時には、同期処理手段１３が使用する同期判定回数を、継続受信動作時に同期処理手段１３が使用する同期判定回数より少なくする。のため、選局時の同期判定処理時間が、継続受信時の同期判定処理時間より短くなる。よって、選局動作を高速化することが可能になる。
【００９３】
また、本実施例では、同期保護パターン判定手段１６は、選局動作中、受信状態判定手段１５の判定結果に基づいて、同期判定回数を変更する。この場合、安定した受信を実現することが可能になる。
【００９４】
また、本実施例では、同期保護パターン判定手段１６は、継続受信動作中、受信状態判定手段１５の判定結果に基づいて、同期判定回数を変更する。この場合、受信動作全般にわたって、安定した受信を実現することが可能になる。
【００９５】
また、本実施例では、同期保護パターン判定手段１６は、選局動作開始時の同期判定回数を、同期処理手段１３が使用する同期判定回数の中で最も少なくする。この場合、選局動作を高速化できる。
【００９６】
以上説明した実施例において、図示した構成は単なる一例であって、本発明はその構成に限定されるものではない。
【図面の簡単な説明】
【００９７】
【図１】本発明の実施の形態を示したブロック図である。
【図２】同期保護パターン判定手段の動作を説明するためのフローチャートである。
【符号の説明】
【００９８】
１      デジタル放送受信機
１１    選局制御手段
１２    周波数選択手段
１３    同期処理手段
１４    復調手段
１５    受信状態判定手段
１６    同期保護パターン判定手段
１７    再生手段
１００  アンテナ
【図１】
0004760352.tif 000002
【図２】
0004760352.tif 000003